(57)【要約】【課題】複数の隔壁を備えて、角空間部が過多に膨張しないながら全体的なコンテナーバッグの形状維持に寄与する、角部に多重隔壁を備えたコンテナーバッグを提供する。【解決手段】本発明は胴体部の内部に内容物を収容する多面体形状のコンテナーバッグであって、前記胴体部の平断面形状は多角形であり、前記胴体部の各角部には、胴体部の内側又は外側の中で少なくとも一方に一つ以上のカバー部材が両角部に対向するように結合され、前記角部又は前記カバー部材の中で最外側に配置されない部材は隔壁になり、前記隔壁は互いに離隔して配置される多重隔壁になり、内容物が移動することができるように構成されることを特徴とする。【選択図】  図１
2020001827.tif 000002
【特許請求の範囲】
【請求項１】
胴体部の内部に内容物を収容する多面体形状のコンテナーバッグであって、
前記胴体部の平断面形状は多角形であり、前記胴体部の各角部には、カバー部材が角部の内側及び外側の少なくとも一方に空間部を形成するように結合され、
前記角部の角部材及び前記カバー部材の中で最外側に配置されない部材は互いに離隔して配置される多重隔壁になり、内容物が移動することができるように構成され、
前記カバー部材は各角の内側に配置される複数の内部カバー部材からなる構造である、角部に多重隔壁を備えたコンテナーバッグ。
【請求項２】
前記胴体部の平断面形状は四角形であり、
前記複数の内部カバー部材の各端部は互いに異なる位置に胴体部に結合されるか、同じ位置に胴体部にともに結合される、請求項１に記載の角部に多重隔壁を備えたコンテナーバッグ。
【請求項３】
胴体部の内部に内容物を収容する多面体形状のコンテナーバッグであって、
前記胴体部の平断面形状は多角形であり、前記胴体部の各角部には、カバー部材が角部の内側及び外側の少なくとも一方に空間部を形成するように結合され、
前記角部の角部材及び前記カバー部材の中で最外側に配置されない部材は互いに離隔して配置される多重隔壁になり、内容物が移動することができるように構成され、
前記カバー部材は各角部の外側に配置される複数の外部カバー部材からなる構造である、角部に多重隔壁を備えたコンテナーバッグ。
【請求項４】
前記胴体部の平断面形状は八角形であり、
前記複数の外部カバー部材の各端部は互いに異なる位置に胴体部に結合されるか、同じ位置に胴体部にともに結合される、請求項３に記載の角部に多重隔壁を備えたコンテナーバッグ。
【請求項５】
胴体部の内部に内容物を収容する多面体形状のコンテナーバッグであって、
前記胴体部の平断面形状は多角形であり、前記胴体部の各角部には、カバー部材が角部の内側及び外側の少なくとも一方に空間部を形成するように結合され、
前記角部の角部材及び前記カバー部材の中で最外側に配置されない部材は互いに離隔して配置される多重隔壁になり、内容物が移動することができるように構成され、
各角部の内側に配置される一つ以上の内部カバー部材と、各角部の外側に配置される一つ以上の外部カバー部材とを含む構造である、角部に多重隔壁を備えたコンテナーバッグ。
【請求項６】
前記胴体部の平断面形状は四角形であり、
前記内部カバー部材と前記外部カバー部材の各端部は互いに異なる位置に胴体部に結合されるか、同じ位置に胴体部にともに結合される、請求項５に記載の角部に多重隔壁を備えたコンテナーバッグ。
【請求項７】
胴体部の内部に内容物を収容する多面体形状のコンテナーバッグであって、
前記胴体部の平断面形状は多角形であり、前記胴体部の各角部には、複数の貫通カバー部材が角部の内側に空間部を形成するように結合されて隔壁を成し、
前記隔壁は互いに離隔して配置される多重隔壁になり、内容物が移動することができるように構成され、
前記貫通カバー部材は胴体部に形成された横方向配列スリットに挿入貫通され、胴体部の角部では角部の内側に配置され、胴体部の側部では胴体部の外側に配置される、角部に多重隔壁を備えたコンテナーバッグ。
【請求項８】
前記貫通カバー部材は複数の一体型バンドが縦方向に離隔して備えられる、請求項７に記載の角部に多重隔壁を備えたコンテナーバッグ。
【請求項９】
前記胴体部の外側に配置される一つ以上の外部カバー部材をさらに備える、請求項７に記載の角部に多重隔壁を備えたコンテナーバッグ。
【請求項１０】
前記複数の外部カバー部材の各端部は互いに異なる位置に胴体部に結合されるか、同じ位置に胴体部にともに結合される、請求項７に記載の角部に多重隔壁を備えたコンテナーバッグ。
【請求項１１】
胴体部の内部に内容物を収容する多面体形状のコンテナーバッグであって、
前記胴体部の平断面形状は多角形であり、前記胴体部の各角の内側には一つ以上の貫通カバー部材が角部の内側に空間部を形成するように備えられ、各角の外側には一つ以上の外部カバー部材が角部の外側に空間部を形成するように備えられ、
前記貫通カバー部材、前記角部の角部材及び最外側に配置されない前記外部カバー部材は互いに離隔して配置される多重隔壁になり、内容物が移動することができるように構成され、
前記貫通カバー部材は胴体部に形成された横方向配列スリットに挿入貫通され、胴体部の角部では角部の内側に配置され、胴体部の側部では胴体部の外側に配置される、角部に多重隔壁を備えたコンテナーバッグ。
【請求項１２】
前記多重隔壁の各隔壁は通孔構造体及びメッシュ構造体の少なくとも一つの構造体からなる、請求項１、３、５、７及び１１のいずれか一項に記載の角部に多重隔壁を備えたコンテナーバッグ。
【請求項１３】
前記通孔構造体及びメッシュ構造体の大きさは胴体部の中央から外側に遠くなるほど小さくなる、請求項１２に記載の角部に多重隔壁を備えたコンテナーバッグ。
【請求項１４】
前記胴体部の上側には上側投入部を備えた上板が結合され、前記胴体部の下側には下側投入部を選択的に備えた下板が結合される、請求項１、３、５、７及び１１のいずれか一項に記載の角部に多重隔壁を備えたコンテナーバッグ。
【請求項１５】
前記胴体部の外側に外被をさらに備える、請求項１、３、５、７及び１１のいずれか一項に記載の角部に多重隔壁を備えたコンテナーバッグ。
【発明の詳細な説明】
【技術分野】
【０００１】
本発明は角部に多重隔壁を備えたコンテナーバッグに関する。より詳しくは多様な実施例によって角部に多重隔壁を有するコンテナーバッグに関する。
【背景技術】
【０００２】
コンテナーバッグ（Ｃｏｎｔａｉｎｅｒ  Ｂａｇ）は内容物を積載して移送させる箱状の輸送容器を示す。主にバルク内容物が積載される。
【０００３】
コンテナーバッグを移送させるためには、内容物が積載されたとき、膨出現象なしに直方体などの形状を維持しながら直立することが重要である。
【０００４】
従来のコンテナーバッグはバッグの内部に隔壁を備え、角空間部が一種の柱の役割をするようにしながらコンテナーバッグの形状を維持しようと試みてきた。
【０００５】
内部隔壁は通孔を通して内容物をコンテナーバッグの角空間部に移動させ、移動された内容物が角空間部の外側に膨張しながら所定の形状を維持するようにする。
【０００６】
従来の隔壁は内部に一つが備えられた。一つの隔壁が備えられるから、隔壁による構造力学的機能の発揮に大きく寄与することができない問題点があった。
【先行技術文献】
【特許文献】
【０００７】
【特許文献１】韓国特許公開第１０−２０１７−０１４３２４４号公報
【発明の概要】
【発明が解決しようとする課題】
【０００８】
本発明による角部に多重隔壁を備えたコンテナーバッグは次のような解決課題を有する。
【０００９】
第一、複数の隔壁を備える多様な実施例を提案しようとする。
【００１０】
第二、複数の隔壁を備えて、角空間部が過多に膨張しないながら全体的なコンテナーバッグの形状維持に寄与するようにする。
【００１１】
本発明の解決課題は以上で言及したものに限定されず、言及しなかった他の解決課題は以下の記載から当業者に明らかに理解可能であろう。
【課題を解決するための手段】
【００１２】
本発明は、胴体部の内部に内容物を収容する多面体形状のコンテナーバッグであって、前記胴体部の平断面形状は多角形であり、前記胴体部の各角部には、カバー部材が角部の内側及び外側の少なくとも一方に空間部を形成するように結合され、前記角部の角部材及び前記カバー部材の中で最外側に配置されない部材は互いに離隔して配置される多重隔壁になり、内容物が移動することができるように構成され、前記カバー部材は各角の内側に配置される複数の内部カバー部材からなる構造である、角部に多重隔壁を備えたコンテナーバッグを提供する。
【００１３】
本発明において、前記胴体部の平断面形状は四角形であってもよく、前記複数の内部カバー部材の各端部は互いに異なる位置に胴体部に結合されるか、同じ位置に胴体部にともに結合されることができる。
【００１４】
本発明は、胴体部の内部に内容物を収容する多面体形状のコンテナーバッグであって、前記胴体部の平断面形状は多角形であり、前記胴体部の各角部には、カバー部材が角部の内側及び外側の少なくとも一方に空間部を形成するように結合され、前記角部の角部材及び前記カバー部材の中で最外側に配置されない部材は互いに離隔して配置される多重隔壁になり、内容物が移動することができるように構成され、前記カバー部材は各角部の外側に配置される複数の外部カバー部材からなる構造である、角部に多重隔壁を備えたコンテナーバッグを提供する。
【００１５】
本発明において、前記胴体部の平断面形状は八角形であってもよく、前記複数の外部カバー部材の各端部は互いに異なる位置に胴体部に結合されるか、同じ位置に胴体部にともに結合されることができる。
【００１６】
本発明は、胴体部の内部に内容物を収容する多面体形状のコンテナーバッグであって、前記胴体部の平断面形状は多角形であり、前記胴体部の各角部には、カバー部材が角部の内側及び外側の少なくとも一方に空間部を形成するように結合され、前記角部の角部材及び前記カバー部材の中で最外側に配置されない部材は互いに離隔して配置される多重隔壁になり、内容物が移動することができるように構成され、各角部の内側に配置される一つ以上の内部カバー部材と、各角部の外側に配置される一つ以上の外部カバー部材とを含む構造である、角部に多重隔壁を備えたコンテナーバッグを提供する。
【００１７】
本発明において、前記胴体部の平断面形状は四角形であってもよく、前記内部カバー部材と前記外部カバー部材の各端部は互いに異なる位置に胴体部に結合されるか、同じ位置に胴体部にともに結合されることができる。
【００１８】
本発明は、胴体部の内部に内容物を収容する多面体形状のコンテナーバッグであって、前記胴体部の平断面形状は多角形であり、前記胴体部の各角部には、複数の貫通カバー部材が角部の内側に空間部を形成するように結合されて隔壁を成し、前記隔壁は互いに離隔して配置される多重隔壁になり、内容物が移動することができるように構成され、前記貫通カバー部材は胴体部に形成された横方向配列スリットに挿入貫通され、胴体部の角部では角部の内側に配置され、胴体部の側部では胴体部の外側に配置される、角部に多重隔壁を備えたコンテナーバッグを提供する。
【００１９】
本発明において、前記貫通カバー部材は複数の一体型バンドが縦方向に離隔して備えられることができる。
【００２０】
本発明において、前記胴体部の外側に配置される一つ以上の外部カバー部材をさらに備えることができる。
【００２１】
本発明において、前記複数の外部カバー部材の各端部は互いに異なる位置に胴体部に結合されるか、同じ位置に胴体部にともに結合されることができる。
【００２２】
本発明は、胴体部の内部に内容物を収容する多面体形状のコンテナーバッグであって、前記胴体部の平断面形状は多角形であり、前記胴体部の各角の内側には一つ以上の貫通カバー部材が角部の内側に空間部を形成するように備えられ、各角の外側には一つ以上の外部カバー部材が角部の外側に空間部を形成するように備えられ、前記貫通カバー部材、前記角部の角部材及び最外側に配置されない前記外部カバー部材は互いに離隔して配置される多重隔壁になり、内容物が移動することができるように構成され、前記貫通カバー部材は胴体部に形成された横方向配列スリットに挿入貫通され、胴体部の角部では角部の内側に配置され、胴体部の側部では胴体部の外側に配置される、角部に多重隔壁を備えたコンテナーバッグを提供する。
【００２３】
本発明において、前記多重隔壁の各隔壁は通孔構造体及びメッシュ構造体の少なくとも一つの構造体からなることができる。
【００２４】
本発明において、前記通孔構造体及びメッシュ構造体の大きさは胴体部の中央から外側に遠くなるほど小さくなることができる。
【００２５】
本発明において、前記胴体部の上側には上側投入部を備えた上板が結合されることができ、前記胴体部の下側には下側投入部を選択的に備えた下板が結合されることができる。
【００２６】
本発明において、前記胴体部の外側に外被をさらに備えることができる。
【発明の効果】
【００２７】
本発明による角部に多重隔壁を備えたコンテナーバッグは次のような効果を有する。
【００２８】
第一、コンテナーバッグ胴体部の角部に内部カバー部材、外部カバー部材及び貫通カバーなどを備えて多様な形態の多重隔壁が形成される効果がある。
【００２９】
第二、多重隔壁は角空間部に移動する内容物の量が少ない場合にも角空間部が全体的なコンテナーバッグの形状を維持する柱の役割をする効果がある。
【００３０】
本発明の効果は以上で言及したものに限定されず、言及しなかった他の効果は以下の記載から当業者に明らかに理解可能であろう。
【図面の簡単な説明】
【００３１】
【図１ａ】本発明によるコンテナーバッグの外観を示す図である。
【図１ｂ】図１ａの内部構造を示す概要図である。
【図２】図１ｂのＡ−Ａ線による平断面図であって、コンテナーバッグに内容物が投入されて膨張した状態の平断面図である。
【図３】図１ｂのＡ−Ａ線による平断面図であって、コンテナーバッグに内容物が投入されて膨張した状態の平断面図である。
【図４】胴体部が四角形の場合、本発明による複数の内部カバー部材に備えられた多重隔壁の一実施例を示す図である。
【図５】胴体部が四角形の場合、本発明による複数の内部カバー部材に備えられた多重隔壁の一実施例を示す図である。
【図６】胴体部が四角形の場合、本発明による内部カバー部材及び外部カバー部材に備えられた多重隔壁の一実施例を示す図である。
【図７】胴体部が四角形の場合、本発明による内部カバー部材及び外部カバー部材に備えられた多重隔壁の一実施例を示す図である。
【図８】胴体部が四角形の場合、本発明による複数の貫通カバー部材に備えられた多重隔壁の一実施例を示す図である。
【図９】一体型バンド形状の３個の貫通カバー部材が上下に離隔して一つの隔壁が構成される実施例を示す図である。
【図１０】胴体部が四角形の場合、本発明による貫通カバー部材及び外部カバー部材に備えられた多重隔壁の一実施例を示す図である。
【図１１】胴体部が八角形の場合、本発明による複数の外部カバー部材に備えられた多重隔壁の一実施例を示す図である。
【図１２】胴体部が八角形の場合、本発明による複数の外部カバー部材に備えられた多重隔壁の一実施例を示す図である。
【図１３】胴体部が八角形の場合、本発明による複数の外部カバー部材に備えられた多重隔壁の一実施例を示す図である。
【図１４】胴体部が八角形の場合、本発明による貫通カバー部材及び外部カバー部材に備えられた多重隔壁の一実施例を示す図である。
【図１５】本発明による胴体部の外側に外被をさらに備えた実施例を示す図である。
【図１６】本発明による通孔構造体及びメッシュ構造体の一実施例を示す図である。
【発明を実施するための形態】
【００３２】
以下、添付図面に基づき、本発明が属する技術分野で通常の知識を有する者が容易に実施することができるように本発明の実施例を説明する。本発明が属する技術分野で通常の知識を有する者が容易に理解することができるように、後述する実施例は本発明の概念及び範囲を逸脱しない範疇内で多様な形態に変形可能である。できるだけ同一乃至類似の部分は図面で同じ符号で示す。
【００３３】
本明細書で使われる専門用語はただ特定の実施例を言及するためのもので、本発明を限定することを意図しない。ここで使われる単数形態は文脈でこれとはっきりと反対の意味を示さない限り、複数形態も含む。
【００３４】
本明細書で使われる"含む"の意味は特定の特性、領域、整数、段階、動作、要素及び／又は成分を具体化し、他の特定の特性、領域、整数、段階、動作、要素、成分及び／又は群の存在又は付加を除くものではない。
【００３５】
本明細書で使われる技術用語及び科学用語を含む全ての用語は本発明が属する技術分野で通常の知識を有する者が一般的に理解する意味と同じ意味を有する。辞書に定義された用語は関連技術文献と現在開示する内容に合う意味を有するものに追加的に解釈され定義されない限り、理想的な又は非常に公式的な意味に解釈されない。
【００３６】
本発明によるコンテナーバッグは多面体形に構成されることができる。本明細書では、容易な説明のために、直方体形のコンテナーバッグを例として説明する。また、直方体形コンテナーバッグの平断面である四角形及び八角形で本発明の技術特徴を説明する。一方、実際にコンテナーバッグに使われる素材の厚さは非常に薄いことがあるが、この図面では発明の特徴をより正確に説明するために、ちょっと誇張して表現したことを参考しなければならない。
【００３７】
すなわち、図面は技術的思想である発明の技術構成的特徴を表現するための一手段であるだけで、特許発明の技術構成が必ずしも図面に示したままに解釈されなければならないものではない。
【００３８】
以下では図面に基づいて本発明を説明する。
【００３９】
図１ａは本発明によるコンテナーバッグの外観を示し、図１ｂは図１ａの内部構造を示す概要図である。コンテナーバッグの角部に通孔が形成された多重隔壁を取り付けて角空間部（ｃｏｒｎｅｒ）を形成し、コンテナーバッグの中央に投入された内容物が隔壁の通孔を通して角空間部に移動する構造である。
【００４０】
図２及び図３は図１ｂのＡ−Ａ線についての平断面図で、コンテナーバッグに内容物が投入されて膨張した状態の平断面図を示す。
【００４１】
胴体部の中央（ｃｅｎｔｅｒ）に内容物が投入されれば、隔壁の通孔を通して内容物が角空間部に移動して角空間部を一種の直立柱のように形成させる。これにより、直方体の４角部が直立柱のように形成され、コンテナーバッグ全体の形状維持に大きく寄与することになるものである。
【００４２】
仮に、角空間部に一つの隔壁がある場合であれば、直方体の全体外観に必要な角空間部の容積を確保するように隔壁が離隔して配置されなければならないであろう。この場合、一般的に角空間部の大きな容積のため、内容物が流入しても速かに直立柱に形成できない問題点がある。迅速な直立柱の形成のために角空間部の容積を小さく設計すれば、結果的には直方体の外観形成に有効に寄与することができなくなる。
【００４３】
本発明は角空間部に多重隔壁を備えて前述した問題点を解決しようとする。すなわち、角空間部に多重隔壁が備えられれば、胴体部の中央から流入した内容物は一番目隔壁を通過した空間でより小さな直立柱を速かに形成することができるであろう。また、直立柱を形成しながら、内容物はまた二番目隔壁を通過して他の直立柱も形成するようになるであろう。このように、多重隔壁を用いて多重直立柱を一定の時間差を置いて形成すれば、コンテナーバッグの直方体外観の維持に大きく寄与することができるであろう。さらに、角空間部の過多膨張現象乃至胴体部側部の膨出現象などを防止することにも寄与することができるであろう。
【００４４】
本発明は角部に多重隔壁を備えたコンテナーバッグに関する。本発明は胴体部の内部に内容物が収容される多面体形状のコンテナーバッグであって、前記胴体部１００の平断面形状は多角形であり、前記胴体部の各角部には、胴体部の内側及び外側の少なくとも一方に二つ以上のカバー部材が両角部に対向するように結合され、前記角部及び前記カバー部材の中で最外側に配置されない部材は隔壁になり、前記隔壁は互いに離隔して配置される多重隔壁になり、内容物が移動することができるように構成されることが好ましい（図１ｂ参照）。
【００４５】
本発明によるカバー部材は胴体部の角部に備えられて多重隔壁を形成する。ただ、カバー部材が最外側に配置される場合には隔壁として機能しなくなる。
【００４６】
本発明による胴体部１００は、平断面形状が四角形１１０に構成された第１実施例と、八角形１２０に構成された第２実施例に区分できる。
【００４７】
以下では、先に胴体部の平断面形状が四角形１１０に構成された第１実施例を中心に本発明を説明する。
【００４８】
本発明において、胴体部の平断面形状は四角形１１０であり、カバー部材は胴体部の内側に配置される複数の内部カバー部材２００からなることができる。
【００４９】
図４及び図５は胴体部が四角形の場合、本発明による複数の内部カバー部材から構成された多重隔壁の一実施例を示す。図４に示したように、第１内部カバー部材２１０と第２内部カバー部材２２０が胴体部の角部（ｃｏｒｎｅｒ）の内側に配置されて２重の隔壁に形成されることができる。
【００５０】
図４の実施例のように、第１内部カバー部材２１０及び第２内部カバー部材２２０の各端部は互いに異なる位置に胴体部１１０にともに結合されることができる。この場合、コンテナーバッグに内容物が充電された後の平断面図は図２と類似した形になるであろう。
【００５１】
図５の実施例のように、第１内部カバー部材２１０及び第２内部カバー部材２２０の各端部は同じ位置に胴体部１１０にともに結合されることができる。この場合、コンテナーバッグに内容物が充電された後の平断面図は図３と類似した形になるであろう。
【００５２】
本発明において、胴体部の平断面形状は四角形１１０であり、カバー部材は胴体部の内側に配置される一つ以上の内部カバー部材２００と、胴体部の外側に配置される一つ以上の外部カバー部材３００とからなることができる。
【００５３】
図６及び図７は胴体部が四角形の場合、本発明による内部カバー部材及び外部カバー部材に備えられた多重隔壁の一実施例を示す。
【００５４】
図６の実施例のように、内部カバー部材２００と外部カバー部材３００の各端部は互いに異なる位置に胴体部１１０に結合されることができる。この場合、コンテナーバッグに内容物が充電された後の平断面図は図２と類似した形になるであろう。
【００５５】
図７の実施例のように、内部カバー部材２００と外部カバー部材３００の各端部は同じ位置に胴体部１１０にともに結合されることができる。この場合、コンテナーバッグに内容物が充電された後の平断面図は図３と類似した形になるであろう。
【００５６】
本発明において、胴体部の平断面形状は四角形１１０であり、カバー部材は胴体部に形成された横方向配列スリット（ｓｌｉｔ）１００＿ｓ群に挿入貫通され、胴体部の角部（ｃｏｒｎｅｒ）では内側に配置され、胴体部の側部（ｓｉｄｅ）では外側に配置される（図８及び図９参照）、一つ以上の貫通カバー部材４００が胴体部の内部に備えられることができる。この場合、コンテナーバッグに内容物が充電された後の平断面図は図３と類似した形になるであろう。
【００５７】
本発明による貫通カバー部材４００は、図９に示したように、個別的な一体型バンド４００ａ、４００ｂ、４００ｃが縦方向に離隔して備えられて一つの隔壁を構成することができる。多重隔壁の場合、貫通カバー部材４００は前記縦方向に離隔して形成された一つの隔壁が横方向に離隔して配置されるように構成されることができる。
【００５８】
本発明による貫通カバー部材４００を胴体部に結合する方式は、縫着、接合及び熱融着などの多様な方法が可能である。
【００５９】
本発明において、胴体部の内側には一つ以上の貫通カバー部材４００が備えられ、胴体部の外側に配置される一つ以上の外部カバー部材３００をさらに備えることができる。
【００６０】
図１０は胴体部が四角形の場合、本発明による貫通カバー部材及び外部カバー部材に備えられた多重隔壁の一実施例を示す。図１０に示したように、外部カバー部材３００は貫通カバー部材４００とともに胴体部１２０に結合される実施例も可能であり、外部カバー部材３００が別に胴体部１２０に結合される実施例（図示せず）も可能である。
【００６１】
次に、胴体部の平断面形状が八角形１２０に構成された第２実施例を中心に本発明を説明する。
【００６２】
本発明において、胴体部の平断面形状は八角形１２０であり、カバー部材は胴体部の外側に配置される複数の外部カバー部材３００からなることができる。
【００６３】
図１１〜図１３は胴体部が八角形の場合、本発明による複数の外部カバー部材に備えられた多重隔壁の一実施例を示す。
【００６４】
図１１は二つの外部カバー部材３１０、３２０を含む実施例、図１２は三つの外部カバー部材３１０、３２０、３３０を含む実施例である。図１１及び図１２に示したように、複数の外部カバー部材３００の各端部は同じ位置に胴体部１２０にともに結合されることができる。この場合、コンテナーバッグに内容物が充電された後の平断面図は図３と類似した形になるであろう。
【００６５】
図１３の実施例のように、複数の外部カバー部材３００の各端部は互いに異なる位置に胴体部１２０に結合されることができる。この場合、コンテナーバッグに内容物が充電された後の平断面図は図２と類似した形になるであろう。
【００６６】
本発明において、胴体部の平断面形状は八角形１２０であり、カバー部材は胴体部に形成された横方向配列スリット１００＿ｓに挿入貫通され、胴体部の角部では内側に配置され、胴体部の側部では外側に配置される一つ以上の貫通カバー部材４００が胴体部の内部に備えられ、胴体部の外側には一つ以上の外部カバー部材３００が備えられることができる。
【００６７】
図１４は胴体部が八角形の場合、本発明による貫通カバー部材４００及び外部カバー部材３００からなる多重隔壁の一実施例を示す。図１４の実施例に示したように、外部カバー部材３００は別に胴体部１２０に結合される実施例も可能であり、貫通カバー部材４００とともに胴体部１２０に結合される実施例（図示せず）も可能である。
【００６８】
一方、本発明による多重隔壁の各隔壁は通孔構造体１０及びメッシュ構造体２０の少なくとも一つの構造体からなることができる。図１６の実施例に示したように、通孔（ｈｏｌｅ）は多様な大きさ１０ａ、１０ｂに形成されることができ、メッシュ（ｍｅｓｈ）も多様な大きさ２０ａ、２０ｂに形成されることができる。
【００６９】
また、通孔構造体１０及びメッシュ構造体２０の大きさは胴体部の中央から外側に遠くなるほど小さくなることができる。これは、最初に形成される直立柱が速かに形成されるようにするためである。
【００７０】
本発明において、胴体部１００の上側には上側投入部５１０を備えた上板５００が結合され、胴体部１００の下側には下側投入部を選択的に備えた下板６００が結合されることができる（図１ａ参照）。
【００７１】
本発明において、胴体部１００の外側に外被７００をさらに備えることができる。図１５は本発明による胴体部１００の外側に外被７００をさらに備えた実施例を示す。図１５の実施例には外被７００の周長が胴体部１００の周長より長く示されている。しかし、実際には外被７００の周長が胴体部１００の周長より短いこともある。
【００７２】
本明細書で説明する実施例と添付図面は本発明に含まれる技術的思想の一部を例示的に説明するものに過ぎない。よって、本明細書に開示した実施例は本発明の技術的思想を限定するためではなく説明するためのものであるので、このような実施例によって本発明の技術思想の範囲が限定されるものではないことは明らかである。本発明の明細書及び図面に含まれた技術的思想の範囲内で当業者が容易に類推することができる変形例と具体的な実施例はいずれも本発明の権利範囲に含まれるものに解釈されなければならないであろう。
【符号の説明】
【００７３】
１０      通孔構造体
２０      メッシュ構造体
１００    胴体部
１００＿ｃ    胴体部の角部
１００＿ｓ    胴体部のスリット
１１０    四角形胴体部
１２０    八角形胴体部
２００    内部カバー部材
２１０    第１内部カバー部材
２２０    第２内部カバー部材
３００    外部カバー部材
３１０    第１外部カバー部材
３２０    第２外部カバー部材
３３０    第３外部カバー部材
４００    貫通カバー部材
５００    上板
５１０    上側投入部
６００    下板
７００    外被
【図１】
2020001827.tif 000003
【図２】
2020001827.tif 000004
【図３】
2020001827.tif 000005
【図４】
2020001827.tif 000006
【図５】
2020001827.tif 000007
【図６】
2020001827.tif 000008
【図７】
2020001827.tif 000009
【図８】
2020001827.tif 000010
【図９】
2020001827.tif 000011
【図１０】
2020001827.tif 000012
【図１１】
2020001827.tif 000013
【図１２】
2020001827.tif 000014
【図１３】
2020001827.tif 000015
【図１４】
2020001827.tif 000016
【図１５】
2020001827.tif 000017
【図１６】
2020001827.tif 000018